(57)【要約】【課題】電波法に基づく登録をリモコン受信機について行わずにリモコン送信機について行うだけで済み、受信感度の強さを視覚的に容易に確認できる。【解決手段】少なくとも２台のリモコン送信機４１，４２が、選択操作部４１ａ，４２ａと選択表示部４１ｂ，４２ｂとを有し、上記選択したリモコン受信機に制御信号を無線で送信する。少なくとも２台のリモコン送信機における各リモコン送信機が送信機能に加えて受信機能を有し、各リモコン送信機間で無線信号を互いに送受信可能に構成される。各リモコン送信機が、無線信号の受信レベルを検出する信号レベル検出回路４１ｃ，４２ｃと、この信号レベル検出回路が検出した無線信号の受信レベルを表示するレベル表示部４１ｄ，４２ｄとを更に有する。各リモコン送信機は、選択操作部を操作することにより、通常操作モード又は受信レベル測定モードのいずれかに切換え可能に構成される。【選択図】図１
2019196620.tif 000002
【特許請求の範囲】
【請求項１】
複数の遮蔽装置をそれぞれ開閉駆動する複数の電動モータと、前記複数の電動モータ近傍に配置され前記複数の電動モータの制御信号をそれぞれ無線で受信するとともに前記複数の電動モータに前記制御信号に基づく制御電力又は制御信号をそれぞれ供給する複数のリモコン受信機と、前記複数のリモコン受信機のいずれか１つ又は複数或いは全てを選択する選択操作部とこの選択したリモコン受信機を表示する選択表示部とを有し前記選択したリモコン受信機に制御信号を無線で送信する少なくとも２台のリモコン送信機とを備えた遮蔽装置の電動式開閉装置であって、
前記少なくとも２台のリモコン送信機における各リモコン送信機が前記送信機能に加えて受信機能を有することにより、各リモコン送信機間で無線信号を互いに送受信可能に構成され、
前記各リモコン送信機が、前記無線信号の受信レベルを検出する信号レベル検出回路と、この信号レベル検出回路が検出した前記無線信号の受信レベルを表示するレベル表示部とを更に有し、
前記各リモコン送信機は、前記選択操作部を操作することにより、前記リモコン受信機に前記制御信号を送信して前記電動モータを制御する通常操作モードと、いずれかのリモコン送信機が送信した前記制御信号と同一レベルの無線信号を受信してこの無線信号の受信レベルを検出して前記レベル表示部に表示する受信レベル測定モードのいずれか一方に切換え可能に構成された
ことを特徴とする遮蔽装置の電動式開閉装置。
【請求項２】
前記選択表示部が、点灯可能な複数の各選択表示部と点灯可能な単一の全選択表示部とを有するか、或いは前記複数のリモコン受信機に割り当てられた１から前記リモコン受信機の総数までの数字で表示するように構成され、
前記受信レベル測定モードにおける無線信号の受信レベルが、前記複数の各選択表示部及び前記単一の全選択表示部の点灯個数の多少により、或いは前記選択表示部が表示した数字の大小又は水平セグメントの点灯本数の多少により、複数の段階で表されて、前記選択表示部が前記レベル表示部を兼ねるように構成された請求項１記載の遮蔽装置の電動式開閉装置。
【請求項３】
前記各リモコン送信機にバッテリが内蔵された請求項１又は２記載の遮蔽装置の電動式開閉装置。
【請求項４】
前記遮蔽装置がブラインド、カーテン又は間仕切りである請求項ないし３いずれか１項に記載の遮蔽装置の電動式開閉装置。
【発明の詳細な説明】
【技術分野】
【０００１】
本発明は、リモコン送信機が複数のリモコン受信機のいずれか１つ又は複数或いは全てに電動モータの制御信号を無線で送信することにより電動モータが駆動され、電動モータの駆動により複数の遮蔽装置のいずれか１つ又は複数或いは全てを開閉駆動する装置に関するものである。
【背景技術】
【０００２】
従来、複数の遮蔽体をそれぞれ開閉駆動する複数の電動モータ近傍に複数のリモコン受信機が配置され、これらのリモコン受信機が複数の電動モータの制御信号をそれぞれ無線で受信するとともに複数の電動モータに上記制御信号に基づく制御電力又は制御信号をそれぞれ供給し、複数のリモコン受信機のいずれか１つ又は複数或いは全てを選択する選択操作部とこの選択したリモコン受信機を表示する選択表示部とを有する単一のリモコン送信機が上記選択したリモコン受信機に制御信号を無線で送信する、遮蔽体の電動式開閉装置が開示されている（例えば、特許文献１参照。）。この遮蔽体の電動式開閉装置では、複数のリモコン受信機が、受信機能に加えて送信機能をそれぞれ有するとともに、リモコン送信機の送信した無線信号の受信レベルを検出するレベル検出手段をそれぞれ有し、単一のリモコン送信機が、送信機能に加えて受信機能を有するとともに、レベル検出手段が検出しかつ複数のリモコン受信機が送信して単一のリモコン送信機が受信した無線信号の受信レベルを表示するレベル表示部を有する。また、リモコン送信機及びリモコン受信機間の無線通信は、リモコン送信機がリモコン受信機に制御信号を送信して電動モータを制御する通常操作モードと、リモコン送信機及びリモコン受信機間の無線信号の受信レベルを検出するメンテナンスモードとに切換え可能に構成され、選択表示部は、点灯可能な複数の各選択表示部と点灯可能な単一の全選択表示部とを有するか、或いは複数のリモコン受信機に割り当てられた１からリモコン受信機の総数までの数字で表示するように構成される。更に、メンテナンスモードにおけるメンテナンス信号の受信レベルが、複数の各選択表示部及び単一の全選択表示部の点灯本数の多少により、或いは選択表示部が表示した数字の大小により、複数の段階で表されて、選択表示部がレベル表示部を兼ねる。
【０００３】
このように構成された遮蔽体の電動式開閉装置では、単一のリモコン送信機が選択操作部で選択されたリモコン受信機に無線でメンテナンス信号を送信し、この選択されたリモコン受信機の信号レベル検出手段がメンテナンス信号の受信レベルを検出し、このメンテナンス信号の受信レベル情報を上記選択されたリモコン受信機が上記リモコン送信機に無線で送信し、更にこのメンテナンス信号の受信レベル情報が上記リモコン送信機のレベル表示部に表示されるので、電波の強度を測定するための特別な測定機器を用いずに、複数のリモコン受信機を受信レベルの良好な位置にそれぞれ設置できる。この結果、複数のリモコン受信機の設置作業性を向上できる。
【先行技術文献】
【特許文献】
【０００４】
【特許文献１】特許第５７４４６０８号公報（請求項１、段落［００１７］、図１〜図４）
【発明の概要】
【発明が解決しようとする課題】
【０００５】
しかし、上記従来の特許文献１に示された遮蔽体の電動式開閉装置では、単一のリモコン送信機が送信機能に加えて受信機能を有するとともに、複数のリモコン受信機が受信機能に加えて送信機能をそれぞれ有するため、リモコン送信機のみならずリモコン受信機も電波法に基づいて登録しなければならない不具合があった。また、上記従来の特許文献１に示された遮蔽体の電動式開閉装置では、建物に配索された商用電源ケーブルにリモコン受信機を接続する必要であるため、建築中の建物において未だ商用電源ケーブルが配索されておらず、商用電源ケーブルから受電できない場合、リモコン受信機が受電するための携帯用電源を別途用意するか、或いは特別な測定機器や専用の受信機を用意しなければ電波の強度を測定できない問題点もあった。更に、上記従来の特許文献１に示された遮蔽体の電動式開閉装置では、リモコン受信機を建物の商用電源ケーブルに接続可能な場合であっても、リモコン受信機を商用電源ケーブルに接続した状態で移動させながら、リモコン受信機の最良の設置位置を探す必要があり、多くの労力を必要とする問題点もあった。
【０００６】
本発明の第１の目的は、電波法に基づく登録をリモコン受信機について行わずにリモコン送信機について行うだけで済み、送信機能及び受信機能の双方の機能を有するリモコン送信機を少なくとも２台用いることにより、受信感度の強さを視覚的に容易に確認できる、遮蔽装置の電動式開閉装置を提供することにある。本発明の第２の目的は、選択表示部がレベル表示部を兼ねることにより、リモコン送信機を小型にすることができる、遮蔽装置の電動式開閉装置を提供することにある。本発明の第３の目的は、リモコン受信機が建物の商用電源ケーブルから受電できなくても、リモコン受信機が受電するための携帯用電源を別途用意することなく、また特別な測定機器や専用の受信機を用意せずに、受信感度の強さを容易に確認できる、遮蔽装置の電動式開閉装置を提供することにある。
【課題を解決するための手段】
【０００７】
本発明の第１の観点は、図１、図２、図５及び図６に示すように、複数の遮蔽装置１１〜１６をそれぞれ開閉駆動する複数の電動モータ２１〜２６と、複数の電動モータ２１〜２６近傍に配置され複数の電動モータ２１〜２６の制御信号をそれぞれ無線で受信するとともに複数の電動モータ２１〜２６に上記制御信号に基づく制御電力又は制御信号をそれぞれ供給する複数のリモコン受信機３１〜３６と、複数のリモコン受信機３１〜３６のいずれか１つ又は複数或いは全てを選択する選択操作部４１ａ，４２ａとこの選択したリモコン受信機３１〜３６を表示する選択表示部４１ｂ，４２ｂとを有し上記選択したリモコン受信機３１〜３６に制御信号を無線で送信する少なくとも２台のリモコン送信機４１，４２とを備えた遮蔽装置の電動式開閉装置であって、少なくとも２台のリモコン送信機４１，４２における各リモコン送信機４１，４２が送信機能に加えて受信機能を有することにより、各リモコン送信機４１，４２間で無線信号を互いに送受信可能に構成され、各リモコン送信機４１，４２が、無線信号の受信レベルを検出する信号レベル検出回路４１ｃ，４２ｃと、この信号レベル検出回路４１ｃ，４２ｃが検出した無線信号の受信レベルを表示するレベル表示部４１ｄ，４２ｄとを更に有し、各リモコン送信機４１，４２は、選択操作部４１ａ，４２ａを操作することにより、リモコン受信機３１〜３６に制御信号を送信して電動モータ２１〜２６を制御する通常操作モードと、いずれかのリモコン送信機４１，４２が送信した制御信号と同一レベルの無線信号を受信してこの無線信号の受信レベルを検出してレベル表示部４１ｄ，４２ｄに表示する受信レベル測定モードのいずれか一方に切換え可能に構成されたことを特徴とする。
【０００８】
本発明の第２の観点は、第１の観点に基づく発明であって、更に図３に示すように、選択表示部４１ｂ，４２ｂが、点灯可能な複数の各選択表示部と点灯可能な単一の全選択表示部とを有するか、或いは複数のリモコン受信機３１〜３６に割り当てられた１からリモコン受信機３１〜３６の総数までの数字で表示するように構成され、受信レベル測定モードにおける無線信号の受信レベルが、複数の各選択表示部及び単一の全選択表示部の点灯個数の多少により、或いは選択表示部４１ｂ，４２ｂが表示した数字の大小又は水平セグメントの点灯本数の多少により、複数の段階で表されて、選択表示部４１ｂ，４２ｂがレベル表示部４１ｄ，４２ｄを兼ねるように構成されたことを特徴とする。
【０００９】
本発明の第３の観点は、第１又は第２の観点に基づく発明であって、更に図１に示すように、各リモコン送信機４１，４２にバッテリ４１ｐ，４２ｐが内蔵されたことを特徴とする。
【００１０】
本発明の第４の観点は、第１ないし第３の観点のいずれかに基づく発明であって、更に図２に示すように、遮蔽装置１１〜１６がブラインド、カーテン又は間仕切りであることを特徴とする。
【発明の効果】
【００１１】
本発明の第１の観点の電動式開閉装置では、少なくとも２台のリモコン送信機における各リモコン送信機が送信機能に加えて受信機能を有することにより、各リモコン送信機間で無線信号を互いに送受信可能に構成し、各リモコン送信機が信号レベル検出回路とレベル表示部とを更に有し、各リモコン送信機の選択操作部を操作することにより、通常操作モードと受信レベル測定モードのいずれか一方に切換え可能に構成したので、電波法に基づく登録をリモコン受信機について行わずにリモコン送信機について行うだけで済む。また、少なくとも２台のリモコン送信機のうちいずれかを通常操作モードに切換え、別のリモコン送信機を受信レベル測定モードに切換えて、上記いずれかのリモコン送信機から上記別のリモコン送信機に無線信号を送信し、この無線信号の受信レベルを上記別のリモコン送信機で測定しその受信レベルをレベル表示部に表示することにより、受信感度の強さを視覚的に容易に確認できる。この結果、遮蔽装置の設置場所で受信感度の良好な場所にリモコン受信機を設置できる。
【００１２】
本発明の第２の観点の電動式開閉装置では、選択表示部がレベル表示部を兼ねるので、選択表示部とは別にレベル表示部を設ける場合と比較して、リモコン送信機を小型にすることができる。
【００１３】
本発明の第３の観点の電動式開閉装置では、各リモコン送信機にバッテリを内蔵したので、リモコン受信機が建物の商用電源ケーブルから受電できなくても、リモコン受信機が受電するための携帯用電源を別途用意することなく、また特別な測定機器や専用の受信機を用意せずに、受信感度の強さを視覚的に容易に確認できる。
【図面の簡単な説明】
【００１４】
【図１】本発明実施形態のブラインドの電動式開閉装置において、通常操作モードの第１リモコン送信機が送信した制御信号と同一レベルの無線信号を受信レベル測定モードの第２リモコン送信機が受信している状態を示す構成図である。
【図２】未だ商用電源ケーブルが配索されていない建物に複数のブラインドが設置された状態で、通常操作モードの第１リモコン送信機が送信した制御信号と同一レベルの無線信号を受信レベル測定モードの第２リモコン送信機が受信してその受信感度の強さを測定している状態を示す構成図である。
【図３】第１及び第２リモコン送信機の選択表示部、開釦、ストップ釦、閉釦及び選択操作釦の配置を示す正面図である。
【図４】受信レベル測定モードの第２リモコン送信機の選択表示部がレベル表示部として機能している状態で、制御信号と同一レベルの無線信号の受信レベルを示す図であり、（ａ）は初期値を示す図であり、（ｂ）は受信レベルが「弱」である場合を示す図であり、（ｃ）は受信レベルが「中」である場合を示す図であり、（ｄ）は受信レベルが「強」である場合を示す図である。
【図５】通常操作モードの第１又は第２リモコン送信機が送信した制御信号（無線信号）をリモコン受信機が受信している状態を示す構成図である。
【図６】商用電源ケーブルが配索された建物に複数のブラインドが設置された状態で、通常操作モードの第１又は第２リモコン送信機から送信した制御信号（無線信号）を複数のリモコン受信機が受信して複数のブラインドの電動モータを制御している状態を示す構成図である。
【図７】通常操作モードの第１リモコン送信機が送信した制御信号と同一レベルの無線信号を受信レベル測定モードの第２リモコン送信機が受信して、その受信感度の強さを測定し選択表示部（レベル表示部）に表示する動作を示すフローチャート図である。
【図８】通常操作モードの第１又は第２リモコン送信機が送信した制御信号（無線信号）を複数のリモコン受信機が受信して、その制御信号（無線信号）により電動モータを駆動しブラインドを開閉する動作を示すフローチャート図である。
【発明を実施するための形態】
【００１５】
次に本発明を実施するための形態を図面に基づいて説明する。図２及び図６に示すように、複数の遮蔽装置は、この実施の形態では、建物の窓等の開口部からの日射を取込み可能に遮蔽するように水平方向に並べて設けられた６基の横型の第１〜第６ブラインド１１〜１６からなる。第１〜第６ブラインド１１〜１６を開閉する電動式開閉装置は、第１〜第６ブラインド１１〜１６をそれぞれ開閉駆動（昇降駆動）する第１〜第６電動モータ２１〜２６と、第１〜第６電動モータ２１〜２６の制御信号をそれぞれ無線で受信するとともに第１〜第６電動モータ２１〜２６に上記制御信号に基づく制御電力又は制御信号をそれぞれ供給する第１〜第６リモコン受信機３１〜３６と、第１〜第６リモコン受信機３１〜３６のいずれか１つ又は複数或いは全てを選択する選択操作釦４１ａ，４２ａとこの選択したリモコン受信機３１〜３６を表示する選択表示部４１ｂ，４２ｂとを有し上記選択したリモコン受信機３１〜３６に制御信号を無線で送信する２台の第１及び第２リモコン送信機４１，４２とを備える。
【００１６】
第１〜第６ブラインド１１〜１６は、建物の窓等の開口部の上方の壁面又は天井に取付金具（図示せず）を介して取付けられるヘッドボックス１１ａ〜１６ａと、これらのヘッドボックス１１ａ〜１６ａから垂下された一対のラダーコード１１ｂ〜１６ｂと、これらのラダーコード１１ｂ〜１６ｂの下端に水平方向に延びて設けられ自重によりラダーコード１１ｂ〜１６ｂに張力を付与するウエイト部材１１ｃ〜１６ｃと、一対のラダーコード１１ｂ〜１６ｂにこれらの長手方向に所定の間隔をあけて水平方向に延びて支持された複数のスラット１１ｄ〜１６ｄとをそれぞれ有する。
【００１７】
第１〜第６電動モータ２１〜２６は第１〜第６ブラインド１１〜１６のヘッドボックス１１ａ〜１６ａ内にそれぞれ設けられる。これらの電動モータ２１〜２６の出力軸は、図示しないが減速機及び巻取りドラムを介して一対のラダーコード１１ｂ〜１６ｂに接続され、第１〜第６電動モータ２１〜２６の出力軸の回転により一対のラダーコード１１ｂ〜１６ｂがプーリに巻取り可能に繰出されて、複数のラダーコード１１ｂ〜１６ｂが昇降駆動されるように構成される。また、第１〜第６リモコン受信機３１〜３６は、第１〜第６ブラインド１１〜１６の各ヘッドボックス１１ａ〜１６ａの上方であって、第１及び第２リモコン送信機４１，４２からの無線信号を良好に受信できる位置の壁面にそれぞれ取付けられる（図６）。更に、第１〜第６リモコン受信機３１〜３６は、第１〜第６電動モータ２１〜２６を正転、逆転又は停止のいずれかに切換えるように構成される。
【００１８】
第１〜第６リモコン受信機３１〜３６は、上記受信機能のみを有し、送信機能を有しない（図５及び図６）。具体的には、図５に詳しく示すように、第１〜第６リモコン受信機３１〜３６は、図５に示すように、アンテナ３１ａ〜３６ａと、アンテナ３１ａ〜３６ａにバンドフィルタ３１ｂ〜３６ｂを介して電気的に接続された無線周波数（ＲＦ）回路３１ｃ〜３６ｃと、無線周波数（ＲＦ）回路３１ｃ〜３６ｃに電気的に接続された復調回路３１ｄ〜３６ｄと、制御入力に復調回路３１ｄ〜３６ｄが電気的に接続され制御出力に駆動回路３１ｅ〜３６ｅが電気的に接続されたＣＰＵ３１ｆ〜３６ｆと、入力に交流電源が接続され出力に各回路が電気的に接続されたレギュレータ３１ｇ〜３６ｇとをそれぞれ有する。アンテナ３１ａ〜３６ａはＵＨＦ波等の無線信号を受信可能に構成され、駆動回路３１ｅ〜３６ｅの出力は電動モータ２１〜２６に電気的に接続される。また、第１〜第６リモコン受信機３１〜３６のレギュレータ３１ｇ〜３６ｇの入力には、建物に配索された商用電源ケーブルに電気的に接続されたコンセントから電力が供給されるように構成される。更に、レギュレータ３１ｇ〜３６ｇの出力には、バンドバスフィルタ３１ｂ〜３６ｂ、無線周波数（ＲＦ）回路３１ｃ〜３６ｃ、復調回路３１ｄ〜３６ｄ、駆動回路３１ｅ〜３６ｅ及びＣＰＵ３１ｆ〜３６ｆがそれぞれ電気的に接続され、これらの回路に電力を供給するように構成される。
【００１９】
一方、電動式開閉装置が２台の第１及び第２リモコン送信機４１，４２を備えるのは、この実施の形態では、第１〜第６ブラインド１１〜１６を設置した部屋内で、第１〜第６ブラインド１１〜１６を離れた位置でそれぞれ操作できるようにし、かつ複数の居住者からリモコン送信機４１，４２までの距離をできるだけ短くするためである（図１及び図２）。図１及び図５に詳しく示すように、第１及び第２リモコン送信機４１，４２は同一に構成される。第１及び第２リモコン送信機４１，４２は、上記送信機能に加えて受信機能を有するとともに、信号レベル検出回路４１ｃ，４２ｃの検出した無線信号の受信レベルを表示するレベル表示部４１ｄ，４２ｄを有する。具体的には、第１及び第２リモコン送信機４１，４２は、アンテナ４１ｅ，４２ｅと、アンテナ４１ｅ，４２ｅに接続されこのアンテナ４１ｅ，４２ｅを第１接点４１ｇ，４２ｇ又は第２接点４１ｈ，４２ｈに切換え可能なスイッチ回路４１ｆ，４２ｆと、この切換スイッチ４１ｆ，４２ｆの第１接点４１ｇ，４２ｇに直接電気的に接続されかつ切換スイッチ４１ｆ，４２ｆの第２接点４１ｈ，４２ｈにバンドフィルタ４１ｉ，４２ｉを介して電気的に接続された無線周波数（ＲＦ）回路４１ｊ，４２ｊと、この無線周波数（ＲＦ）回路４１ｊ，４２ｊに接続された変調回路４１ｋ，４２ｋと、無線周波数（ＲＦ）回路４１ｊ，４２ｊに復調回路４１ｍ，４２ｍを介して接続された上記信号レベル検出回路４１ｃ，４２ｃと、制御入力に信号レベル検出回路４１ｃ，４２ｃ及び選択操作釦４１ａ，４２ａが電気的に接続され制御出力に変調回路４１ｋ，４２ｋ及び選択表示部４１ｂ，４２ｂが電気的に接続されたＣＰＵ４１ｎ，４２ｎと、リモコン送信機４１，４２に内蔵された電源４１ｐ，４２ｐと、入力に電源４１ｐ，４２ｐが電気的に接続され出力に各回路が電気的に接続されたレギュレータ４１ｑ，４２ｑとを有する。
【００２０】
アンテナ４１ｅ，４２ｅはＵＨＦ波等の無線信号を送受信可能に構成され、電源４１ｐ，４２ｐはバッテリにより構成される（図１及び図５）。また、図３及び図４に示すように、選択表示部４１ｂ，４２ｂには、３本の水平セグメント及び４本の垂直セグメントのうち複数本のセグメントを点灯させることにより、第１〜第６リモコン受信機３１〜３６を選択することを意味する『１』〜『６』という数字と、第１〜第６リモコン受信機３１〜３６の全て（ＡＬＬ）を選択することを意味する『Ａ』という英文字のいずれかが表示されるようになっている。また、図３に示すように、第１リモコン送信機４１には、第１〜第６リモコン受信機３１〜３６のいずれか１台又は全てを選択するために操作する左右２つの選択操作釦（選択操作部）４１ａ，４２ａの他に、第１〜第６電動モータ２１〜２６のうち選択された電動モータを正転させて第１〜第６ブラインド１１〜１６のうち選択されたブラインドを上昇させる開釦４１ｒ，４２ｒと、第１〜第６電動モータ２１〜２６のうち選択された電動モータを逆転させて第１〜第６ブラインド１１〜１６のうち選択されたブラインドを下降させる閉釦４１ｓ，４２ｓと、第１〜第６電動モータ２１〜２６のうち選択された電動モータを停止させるストップ釦４１ｔ，４２ｔとが設けられる。更に、レギュレータ４１ｑ，４２ｑの出力には、スイッチ回路４１ｆ，４２ｆ、バンドフィルタ４１ｉ，４２ｉ、無線周波数（ＲＦ）回路４１ｊ，４２ｊ、変調回路４１ｋ，４２ｋ、復調回路４１ｍ，４２ｍ、信号レベル検出回路４１ｃ，４２ｃ、選択表示部４１ｂ，４２ｂ、ＣＰＵ４１ｎ，４２ｎ、選択操作釦４１ａ，４２ａ、開釦４１ｒ，４２ｒ、閉釦４１ｓ，４２ｓ及びストップ釦４１ｔ，４２ｔが電気的に接続され、これらの回路に電力を供給するように構成される（図１及び図５）。なお、左右２つの選択操作釦４１ａ，４２ａのうち右側の釦は選択表示部４１ｂ，４２ｂに表示するリモコン受信機を第１リモコン受信機３１から第６リモコン受信機３６に向って昇順で送る昇順送り釦４１ｕ，４２ｕであり、左側の釦は選択表示部４１ｂ，４２ｂに表示するリモコン受信機を第６リモコン受信機２６から第１リモコン受信機３１に向って降順で送る降順送り釦４１ｖ，４２ｖである（図３）。
【００２１】
例えば、図１に示すように、第１リモコン送信機４１のアンテナ４１ｅをスイッチ回路４１ｆの第１接点４１ｇに電気的に接続して第１リモコン送信機４１を通常操作モードに設定し、第２リモコン送信機４２のアンテナ４２ｅをスイッチ回路４２ｆの第２接点４２ｈに電気的に接続して第２リモコン送信機４２を受信レベル測定モードに設定することにより、第１リモコン送信機４１と第２リモコン送信機４２との間で無線信号を送受信できるようになっている。そして、通常操作モードの第１リモコン送信機４１が、受信レベル測定モードの第２リモコン送信機４２に制御信号と同一の無線信号を送信して、第２リモコン送信機４２でこの無線信号の受信レベルを検出可能に構成される。この実施の形態では、通常操作モードの第１及び第２リモコン送信機４１，４２の開釦４１ｒ，４２ｒと閉釦４１ｓ，４２ｓと昇順送り釦（右側の選択操作釦）４１ｕ，４２ｕとが同時に１秒以上長押しされると、受信レベル測定モードに切換わり、受信レベル測定モードの第１及び第２リモコン送信機４１，４２の開釦４１ｒ，４２ｒと閉釦４１ｓ，４２ｓと昇順送り釦（右側の選択操作釦）４１ｕ，４２ｕとが同時に１秒以上長押しされると、通常操作モードに切換わるように構成される（図３）。なお、図１及び図５中の符号４１ｗは、第１リモコン送信機４１の変調回路４１ｋに電気的に接続された発信回路であり、図１中の符号４２ｗは、第２リモコン送信機４２の変調回路４２ｋに電気的に接続された発信回路である。
【００２２】
一方、選択表示部４１ｂ，４２ｂはレベル表示部４１ｄ，４２ｄを兼ねるように構成される（図１及び図３〜図５）。例えば、第２リモコン送信機４２が受信レベル測定モードに設定されている場合、この第２リモコン送信機４２が受信した無線信号の受信レベルが、選択表示部４２ｂの３本の水平セグメントを用いて３段階に表示される。具体的には、図４（ｂ）に示すように、３本の水平セグメントのうち最下段の１本の水平セグメントが点灯した場合を受信レベルが「弱」であることを表し、図４（ｃ）に示すように、３本の水平セグメントのうち下側の２本の水平セグメントが点灯した場合を受信レベルが「中」であることを表し、図４（ｄ）に示すように、３本の水平セグメントの全てが点灯した場合を受信レベルが「強」であることを表す。なお、図４（ａ）に示す「０」は、受信レベル測定前の初期値を表す。
【００２３】
このように構成された電動式開閉装置の第１及び第２リモコン送信機４１，４２を用いて、第１〜第６ブラインド１１〜１６を開閉するための無線信号の受信レベルを検出する方法を図７のフローチャート図及び図１〜図４に基づいて説明する。先ず、建物の部屋の窓に沿って第１〜第６ブラインド１１〜１６を設置する。このとき、建物は建築中であり、未だ商用電源ケーブルが配索されておらず、第１〜第６リモコン受信機３１〜３６は、商用電源ケーブルから受電できないので、第１及び第２リモコン送信機４１，４２からの無線信号を受信できない。このため、第１〜第６リモコン受信機３１〜３６が良好に電波を受信できる第１〜第６リモコン受信機３１〜３６のそれぞれの設置位置を決めることができない。そこで、バッテリ４１ｐが内蔵された第１リモコン送信機４１を通常操作モードのままにした状態で、バッテリ４２ｐが内蔵された第２リモコン送信機４２の開釦４２ｒと閉釦４２ｓと昇順送り釦４２ｕとを同時に１秒以上長押しすると、第２リモコン送信機４２のアンテナ４２ｅがスイッチ回路４２ｆの第２接点４２ｈに電気的に接続されて、第２リモコン送信機４２が受信レベル測定モードに切換わる。
【００２４】
そして、この第２リモコン送信機４２を第１ブラインド１１のヘッドボックス１１ａの上方の壁面に剥離可能な両面粘着テープ等により貼付け、第１リモコン送信機４１を第１設置位置（例えば、部屋の窓とは反対側の奧壁のうち一方の側壁寄りの位置）に持って行く。この状態で、第１リモコン送信機４１の選択操作釦４１ａの昇順送り釦４１ｕ又は降順送り釦４１ｖを押して、選択表示部４１ｂに例えば『Ａ』を表示させた後、第１リモコン送信機４１の開釦４１ｒ又は閉釦４１ｓを押すと、第１リモコン送信機４１のＣＰＵ４１ｎは、第１〜第６電動モータ２１〜２６の制御信号と同一レベルの無線信号を第２リモコン送信機４２に送信する。具体的には、第１リモコン送信機４１のＣＰＵ４１ｎは、発信回路４１ｗで発生した上記無線信号を変調回路４１ｋで搬送波に載せて変調させ、無線周波数（ＲＦ）回路４１ｊで所定の高周波の信号に変換した後に、アンテナ４１ｅから無線で送信する。
【００２５】
第１〜第６電動モータ２１〜２６の制御信号と同一レベルの無線信号は、第２リモコン送信機４２のアンテナ４２ｅで受信され、バンドフィルタ４２ｉで使用周波数帯以外の干渉波が除去されて、無線周波数（ＲＦ）回路４２ｊで所定の低周波の信号に変換され、更に復調回路４２ｍで搬送波から分離された後に、信号レベル検出回路４２ｃで上記無線信号の受信レベルが検出される。この無線信号の受信レベルがＣＰＵ４２ｎの制御入力に入力されると、ＣＰＵ４２ｎはこの無線信号の受信レベルをレベル表示部４２ｄに表示する。受信レベルが「弱」であると、レベル表示部４２ｄの３本の水平セグメントのうち最下段の１本の水平セグメントを点灯させるので、受信感度の強さを視覚的に容易に確認できる。この場合、第２リモコン送信機４２の壁への貼付け位置を変えて、再び第１リモコン送信機４１から無線信号を発信すると、この無線信号を第２リモコン送信機４２が受信し、この無線信号の受信レベルがレベル表示部４２ｄに表示される。受信レベルが「強」になると、レベル表示部４２ｄの３本の水平セグメントの全てが点灯する。
【００２６】
次に、第１リモコン送信機４１を第２設置位置（例えば、部屋の窓とは反対側の奧壁のうち他方の側壁寄りの位置）に持って行く。そして、第１リモコン送信機４１の開釦４１ｒ又は閉釦４１ｓを押して、第１〜第６電動モータ２１〜２６の制御信号と同一レベルの無線信号を送信すると、この無線信号を第２リモコン送信機４２が受信して、その受信レベルがレベル表示部４２ｄに表示される。このとき、レベル表示部４２ｄに表示された受信レベルが「弱」であると、レベル表示部４２ｄの３本の水平セグメントのうち最下段の１本の水平セグメントが点灯する。この場合、第２リモコン送信機４２の壁への貼付け位置を変えて、再び第１リモコン送信機４１から無線信号を発信すると、この無線信号を第２リモコン送信機４２が受信し、この無線信号の受信レベルがレベル表示部４２ｄに表示される。受信レベルが「強」になると、レベル表示部４２ｄの３本の水平セグメントの全てが点灯する。
【００２７】
更に、第１リモコン送信機４１を第１設置位置に再び持って行く。そして、第１リモコン送信機４１の開釦４１ｒ又は閉釦４１ｓを押して、第１〜第６電動モータ２１〜２６の制御信号と同一レベルの無線信号を送信すると、この無線信号を第２リモコン送信機４２が受信して、その受信レベルがレベル表示部４２ｄに表示される。このとき、受信レベルが「強」であると、レベル表示部４２ｄの３本の水平セグメントの全てが点灯する。この結果、第２リモコン送信機４２を最後に壁に貼付けた位置が、第２リモコン送信機４２の受信レベルがいずれも「強」となり、良好に無線信号を受信できる位置であるので、この位置に第１リモコン受信機３１をビス等により設置する。なお、第２リモコン送信機４２のレベル表示部４２ｄに表示された受信レベルが「弱」である場合、上記作業を何回か繰り返して、第１リモコン送信機４１が第１設置位置にあっても、第２設置位置にあっても、第２リモコン送信機４２の受信レベルがいずれも「強」となる位置を探して決定する。
【００２８】
第１リモコン受信機４１の設置が完了した後、第２リモコン送信機４２を第２ブラインド１２のヘッドボックス１２ａの上方の壁面に剥離可能な両面粘着テープ等により貼付けて、上記と同様の作業を行って、第１リモコン送信機４１が第１設置位置にあっても、第２設置位置にあっても、第２リモコン送信機４２の受信レベルがいずれも「強」となる位置を探して決定し、この位置に第２リモコン受信機４２をビス等により設置する。上記と同様の作業を行って、第３〜第６リモコン受信機３３〜３６を第３〜第６ブラインド１３〜１６のヘッドボックス１３ａ〜１６ａの情報の壁面に設置する。そして、建物の商用電源ケーブルの配索が完了したときに、第１〜第６リモコン受信機３１〜３６のプラグを商用電源ケーブルのコンセントに差し込む。また、第２リモコン送信機４２の開釦４２ｒと閉釦４２ｓと昇順送り釦４２ｕとを同時に１秒以上長押して、第２リモコン送信機４２のアンテナ４２ｅをスイッチ回路４２ｆの第１接点４２ｇに電気的に接続して、第２リモコン送信機４２を通常操作モードに切換える。更に、第１リモコン送信機４１を第１設置位置に設置し、第２リモコン送信機４２を第２設置位置に設置する。これにより、第１リモコン送信機４１及び第２リモコン送信機４２からの無線信号を第１〜第６リモコン受信機３１〜３６が良好に受信できるようになる。このように、通常操作モードの第１リモコン送信機４１と、受信レベル操作モードの第２リモコン送信機４２との間で無線信号を送受信するので、電波法に基づく登録をリモコン受信機３１〜３６について行わずにリモコン送信機４１，４２について行うだけで済む。また、選択表示部４１ｂ，４２ｂがレベル表示部４１ｄ，４２ｄを兼ねるので、選択表示部とは別にレベル表示部を設ける場合と比較して、第１及び第２リモコン送信機４１，４２を小型にすることができる。
【００２９】
一方、通常操作モードの第１及び第２リモコン送信機４１，４２を用いて第１〜第６ブラインド１１〜１６のスラット１１ｄ〜１６ｄを昇降させるときの操作手順を図８のフローチャート図に基づいて説明する。第１リモコン送信機４１又は第２リモコン送信機４２のどちらを操作してもよいが、通常、操作者は自分の席に近い方のリモコン送信機４１，４２を操作する。この例では、操作者が第１リモコン送信機４１を操作して、第３ブラインド１３のスラット１３ｄを上昇させる場合を説明する。先ず、第１リモコン送信機４１の選択操作釦４１ａの昇順送り釦４１ｕを何回か押して選択表示部４１ｂに「３」という数字を表示させる。そして、第１リモコン送信機４１の開釦４１ｒを押すと、第１リモコン送信機４１が第３リモコン受信機３３に、第３ブラインド１３の電動モータ２３を正転させる駆動信号を無線で送信する。この無線による駆動信号は第３リモコン受信機３３のアンテナ３３ａで受信され、バンドフィルタ３３ｂで使用周波数帯以外の干渉波が除去されて、無線周波数（ＲＦ）回路３３ｃで所定の低周波の信号に変換され、更に復調回路３３ｄで搬送波から分離された後にＣＰＵ３３ｆの制御入力に入力される。そして、第３リモコン受信機３３のＣＰＵ３３ｆは上記駆動信号に基づき駆動回路３３ｅを介して第３ブラインド１３の電動モータ２３を正転させる。これにより第３ブラインド１３のスラット１３ｄが上昇する。
【００３０】
第３ブラインド１３のスラット１３ｄが所望の位置まで上昇したときに、第１リモコン送信機４１のストップ釦４１ｔを押すと、第１リモコン送信機４１が第３リモコン受信機３３に、第３ブラインド１３の電動モータ２３を停止させる停止信号を無線で送信する。この無線による停止信号は第３リモコン受信機３３のアンテナ３３ａで受信され、バンドフィルタ３３ｂで使用周波数帯以外の干渉波が除去されて、無線周波数（ＲＦ）回路３３ｃで所定の低周波の信号に変換され、更に復調回路３３ｄで搬送波から分離された後にＣＰＵ３３ｆの制御入力に入力される。そして、第３リモコン受信機３３のＣＰＵ３３ｆは上記停止信号に基づき駆動回路３３ｅを介して第３ブラインド１３の電動モータ２３を停止させる。これにより第３ブラインド１３のスラット１３ｄが停止する。なお、第１リモコン送信機４１の選択操作釦４１ａの昇順送り釦４１ｕ又は降順送り釦４１ｖを押して、選択表示部４１ｂに所望の数字を表示させた後に、開釦４１ｒ又は閉釦４１ｓを押せば、所望のブラインド１１〜１６を昇降できる。また、第１リモコン送信機４１の選択操作釦４１ａの昇順送り釦４１ｕ又は降順送り釦４１ｖを押して、選択表示部４１ｂに「Ａ」という英文字を表示させた後に、開釦４１ｒ又は閉釦４１ｓを押せば、第１〜第６ブラインド１１〜１６のスラットを全て同時に昇降できる。
【００３１】
なお、上記実施の形態では、遮蔽装置として日射を遮る横型ブラインドを挙げたが、複数のスラットが鉛直方向に延びて設けられた縦型ブラインドやカーテン、或いは大きな部屋を複数の小部屋に区画する間仕切り等の遮蔽装置であってもよい。また、上記実施の形態では、ブラインドを６基設置しかつリモコン送信機を２台用いたが、ブラインドを２基〜５基又は７基以上設置してもよく、リモコン送信機を３台以上用いてもよい。また、上記実施の形態では、第１リモコン送信機を通常操作モードに切換え、第２リモコン送信機を受信レベル測定モードに切換えて、第１リモコン送信機から第２リモコン送信機に無線信号を送信して、この無線信号の受信レベルを第２リモコン送信機で測定したが、第２リモコン送信機を通常操作モードに切換え、第１リモコン送信機を受信レベル測定モードに切換えて、第２リモコン送信機から第１リモコン送信機に無線信号を送信して、この無線信号の受信レベルを第１リモコン送信機で測定してもよい。また、上記実施の形態では、通常操作モードから受信レベル測定モードに切換えるため、又は受信レベル測定モードから通常操作モードに切換えるために、開釦と閉釦と右側の選択操作釦（昇順送り釦）とを同時に１秒以上長押ししたが、開釦と閉釦と左側の選択操作釦（降順送り釦）とを同時に１秒以上長押してもよく、また開釦と閉釦とストップ釦とを同時に１秒以上長押ししてもよく、或いは、他の釦を組合せて同時に１秒以上長押ししてもよく、また上記長押し時間は１秒以上ではなく、２秒以上或いはそれ以上であってもよい。
【００３２】
また、上記実施の形態では、第１〜第６リモコン受信機を選択することを意味する「１」〜「６」という数字と、第１〜第６リモコン受信機の全て（ＡＬＬ）を選択することを意味する「Ａ」という英文字のいずれかを選択表示部に表示させたが、選択表示部が、「１」〜「６」という数字を６個の発光ダイオードの近傍にそれぞれ付して構成された第１〜第６選択表示部と、「ＡＬＬ」という英文字を１個の発光ダイオードの近傍に付して構成された全選択表示部とを有してもよい。この場合、選択操作釦を操作することにより、第１〜第６リモコン受信機のいずれか１台又は全てを選択するだけでなく、第１〜第６リモコン受信機のいずれか複数、即ち２台〜５台のリモコン受信機を選択できる。また、上記実施の形態では、受信レベルを、レベル表示部を兼ねる選択表示部の３本の水平セグメントの点灯本数により表示したが、受信レベルを、レベル表示部を兼ねる選択表示部の「１」〜「９」という数字により表示させてよい。更に、選択表示部が、「１」〜「６」という数字を６個の発光ダイオードの近傍にそれぞれ付して構成された第１〜第６選択表示部と、「ＡＬＬ」という英文字を１個の発光ダイオードの近傍に付して構成された全選択表示部とを有する場合、受信レベルを、レベル表示部を兼ねる選択表示部の７個の発光ダイオードの点灯数により表示してもよい。
【符号の説明】
【００３３】
１１〜１６  第１〜第６ブラインド（遮蔽装置）
２１〜２６  第１〜第６電動モータ
３１〜３６  第１〜第６リモコン受信機
４１，４２  第１及び第２リモコン送信機
４１ａ，４２ａ  選択操作釦（選択操作部）
４１ｂ，４２ｂ  選択表示部
４１ｃ，４２ｃ  信号レベル検出回路
４１ｄ，４２ｄ  レベル表示部
４１ｐ，４２ｐ  バッテリ（電源）
【図１】
2019196620.tif 000003
【図２】
2019196620.tif 000004
【図３】
2019196620.tif 000005
【図４】
2019196620.tif 000006
【図５】
2019196620.tif 000007
【図６】
2019196620.tif 000008
【図７】
2019196620.tif 000009
【図８】
2019196620.tif 000010